(57)【要約】      （修正有）【課題】一回の作業だけでその編成を完了させ、接着剤の使用を避けるカットパイルを有する両面布地の編成方法を提供する。【解決手段】丸編機を用いたカットパイルを有する両面布地の編成方法であって、該両面布地は、第１の編地層２１と、第１の編地層に接続された第２の編地層２２とからなり、第２の編地層の第１の編地層から離れた側に複数のカットパイル２２２を有し、丸編機の２つのベッドのうち一方を用いて第１の編地層を編成し、次に、他方のベッドを用いて地糸組織２２１及び該地糸組織に接続された複数のループパイル２２５を編成し、同一のベッドに設けられた複数の切刃を駆動してこれらのループパイルを切断することにより、地糸組織に接続された複数のカットパイルを形成し、これらのカットパイル及び当該地糸組織が当該第２の編地層を構成し、２つのベッドを用いて同時に第１の編地層と第２の編地層とを接続する。【選択図】図１
2020169413.tif 000002
【特許請求の範囲】
【請求項１】
カットパイルを有し、第１の編地層と前記第１の編地層に接続された第２の編地層とからなる両面布地であって、前記第２の編地層における前記第１の編地層から離れた側に複数の前記カットパイルが成形される両面布地を、対応して設けられた２つのベッドを有する丸編機を用いて編成する方法において、
一方の前記ベッドを用いて前記第１の編地層を編成する第１の編地層の編成ステップと、
他方の前記ベッドを用いて地糸組織及び前記地糸組織に接続された複数のループパイルを編成し、同一の前記ベッドに設けられた複数の切刃を駆動してこれらのループパイルを切断することにより、前記地糸組織にそれぞれ接続された複数のカットパイルを形成し、これらのカットパイル及び前記地糸組織が前記第２の編地層を構成する第２の編地層の編成ステップと、
前記２つのベッドを用いて同時に編成し、複数の接続糸によって前記第１の編地層と前記第２の編地層とを接続させることにより、前記カットパイルを有する両面布地を編成する織り合わせステップとを含むことを特徴とする丸編機を用いてカットパイルを有する両面布地を編成する方法。
【請求項２】
前記第２の編地層の編成ステップでは、編成を行っている一方の前記ベッドに２本の糸を給糸し、前記２本の糸のうちの一方は前記地糸組織を編成し、他方は前記地糸組織に接続されて糸の牽引−引掛りプロセスを行うことで前記複数のループパイルのうちの１つを形成することを特徴とする請求項１に記載の丸編機を用いてカットパイルを有する両面布地を編成する方法。
【請求項３】
前記複数のループパイルのうちの１つを形成する糸は、ウール糸であることを特徴とする請求項１または２に記載の丸編機を用いてカットパイルを有する両面布地を編成する方法。
【請求項４】
カットパイルを有し、第１の編地層と前記第１の編地層に接続された第２の編地層とからなる両面布地であって、前記第２の編地層における前記第１の編地層から離れた側に複数の前記カットパイルが成形される両面布地を、対応して設けられた２つのベッドを有する丸編機を用いて編成する方法において、
一方の前記ベッドを用いて地糸組織及び前記地糸組織に接続された複数のループパイルを編成し、同一の前記ベッドに設けられた複数の切刃を駆動してこれらのループパイルを切断することにより、前記地糸組織にそれぞれ接続された複数のカットパイルを形成し、これらのカットパイル及び前記地糸組織が前記第２の編地層を構成する第２の編地層の編成ステップと、
他方の前記ベッドを用いて前記第１の編地層を編成する第１の編地層の編成ステップと、
前記２つのベッドを用いて同時に編成し、複数の接続糸によって前記第１の編地層と前記第２の編地層とを接続させることにより、前記カットパイルを有する両面布地を編成する織り合わせステップとを含むことを特徴とする丸編機を用いてカットパイルを有する両面布地を編成する方法。
【請求項５】
前記第２の編地層の編成ステップでは、編成を行っている一方の前記ベッドに２本の糸を給糸し、前記２本の糸のうちの一方は前記地糸組織を編成し、他方は前記地糸組織に接続されて糸の牽引−引掛りプロセスを行うことで前記複数のループパイルのうちの１つを形成することを特徴とする請求項４に記載の丸編機を用いてカットパイルを有する両面布地を編成する方法。
【請求項６】
前記複数のループパイルのうちの１つを形成する糸は、ウール糸であることを特徴とする請求項４または５に記載の丸編機を用いてカットパイルを有する両面布地を編成する方法。
【発明の詳細な説明】
【技術分野】
【０００１】
本発明は、丸編機を用いる編成方法に関し、より詳しくは、丸編機を用いてカットパイルを有する両面布地を編成する方法に関するものである。
【背景技術】
【０００２】
丸編機を用いてカットパイルを有する布地を編成する従来の技術として、特許文献１〜特許文献４が挙げられる。これらの特許が開示した方法で編成された布地は、いずれも片面のものであり、メーカーが布地の厚みを増加するか、またはその保温性や組織の多様性を向上させようとする場合、もう１枚の片面布地を貼り合わせて、カットパイルを有する両面布地に仕上げるのでなければ、そのニーズを満たすことができない。
【０００３】
また、前記２枚の片面布地を貼り合わせるには、接着剤を用いる必要があり、布地を繰り返し洗浄しても崩れないように、接着剤は高い粘性を有するものを使用しなければならない。これにより、接着剤による毒性が増大し、着用者が敏感肌である場合にアレルギーの症状が生じるという問題がある。また、これらの接着剤はいずれも化学物質で、処理を行わずに環境に排出してしまうと、環境汚染を生じさせる要因にもなる。
【先行技術文献】
【特許文献】
【０００４】
【特許文献１】米国特許登録第４５９２２１２号明細書
【特許文献２】米国特許登録第４４０９８００号明細書
【特許文献３】米国特許登録第９８９０４８６号明細書
【特許文献４】英国特許登録第９８８８６５号明細書
【発明の概要】
【発明が解決しようとする課題】
【０００５】
本発明は、カットパイルを有する両面布地の編成が一回の作業だけで完了できず、更なる加工が必要である、という課題を解決することを目的とする。
【０００６】
本発明は、さらに、接着剤の残留により人体の健康に良くない影響を与えることを避けるために、接着剤を用いて貼り合わせる必要がない、カットパイルを有する両面布地を得ることを目的とする。
【課題を解決するための手段】
【０００７】
本発明は上述した目的を達成すべくなされたものであり、丸編機を用いてカットパイルを有する両面布地を編成する方法を提供する。当該カットパイルを有する両面布地は、第１の編地層と、当該第１の編地層に接続された第２の編地層とからなり、当該第２の編地層には、当該第１の編地層から離れた側に複数のカットパイルが成形され、当該丸編機は、対応して設けられた２つのベッドを有し、当該方法は、
一方の当該ベッドを用いて当該第１の編地層を編成する第１の編地層の編成ステップと、
他方の当該ベッドを用いて地糸組織及び当該地糸組織に接続された複数のループパイルを編成し、同一の当該ベッドに設けられた複数の切刃を駆動してこれらのループパイルを切断することにより、当該地糸組織にそれぞれ接続された複数のカットパイルを形成し、これらのカットパイル及び当該地糸組織が当該第２の編地層を構成する第２の編地層の編成ステップと、
当該２つのベッドを用いて同時に編成し、複数の接続糸によって当該第１の編地層と当該第２の編地層とを接続させることにより、当該カットパイルを有する両面布地を編成する織り合わせステップとを含む。
【０００８】
本発明に係る編成方法の一実施形態において、当該第２の編地層の編成ステップでは、編成を行っている一方の当該ベッドに２本の糸を給糸し、当該２本の糸のうちの一方は当該地糸組織を編成し、他方は当該地糸組織に接続されて糸の牽引−引掛りプロセスを行うことで前記複数のループパイルのうちの１つを形成する。
【０００９】
本発明に係る編成方法の一実施形態において、前記複数のループパイルのうちの１つを形成する当該糸は、ウール糸である。
【００１０】
上記実施形態の他にも、本発明は、当該カットパイルを有する両面布地を編成するもう一つの方法を提供し、当該方法は、
一方の当該ベッドを用いて地糸組織及び当該地糸組織に接続された複数のループパイルを編成し、同一の当該ベッドに設けられた複数の切刃を駆動してこれらのループパイルを切断することにより、当該地糸組織にそれぞれ接続された複数のカットパイルを形成し、これらのカットパイル及び当該地糸組織が当該第２の編地層を構成する第２の編地層の編成ステップと、
一方の当該ベッドを用いて当該第１の編地層を編成する第１の編地層の編成ステップと、
当該２つのベッドを用いて同時に編成し、複数の接続糸によって当該第１の編地層と当該第２の編地層とを接続させることにより、当該カットパイルを有する両面布地を編成する織り合わせステップとを含む。
【発明の効果】
【００１１】
上述したように本発明を実施することにより、従来技術と比べ以下の利点を得ることができる。本発明に係る編成方法を用いる場合、カットパイルを有する両面布地は丸編機を用いて編成するだけで済むため、カットパイルを有する両面布地の製造プロセスを簡素化している。また、本発明の方法により製造されたカットパイルを有する両面布地は、接着剤を用いて２つの編地層を貼り合わせる必要がないため、接着剤の残留により人体の健康に良くない影響を与えることを防ぐことができる。
【図面の簡単な説明】
【００１２】
【図１】本発明の編成方法に係る一実施形態の動作を概略的に示す図である。
【図２】本発明の編成方法に係る一実施形態によるカットパイルを有する両面布地の構造を概略的に示す図である。
【図３】本発明の編成方法に係る一実施形態に用いた丸編機の構造を概略的に示す図である。
【図４】本発明の編成方法に係るもう一つの実施形態の動作を概略的に示す図である。
【発明を実施するための形態】
【００１３】
以下、本発明の技術内容を、図面を参照して詳細に説明する。
【００１４】
図１から図３に示されるように、本発明は、丸編機を用いてカットパイルを有する両面布地を編成する方法１０を提供する。まずは、本発明の方法により編成したいカットパイルを有する両面布地２０について説明する。カットパイルを有する両面布地２０は、第１の編地層２１と第１の編地層２１に接続された第２の編地層２２とからなる。第２の編地層２２は、地糸組織２２１と、地糸組織２２１に接続された複数のカットパイル２２２とからなる。また、いわゆる地糸組織２２１とは、糸２２３を織り合わせてなされたものであり、これらのカットパイル２２２は、もう１本の糸２２４がループ状をなすとそれを切開するようにそれぞれ形成されたものである。なお、本発明の方法１０を実施するための丸編機３０は２つのベッド３１、３２を含む。図３に示されるように、２つのベッド３１、３２は対応して設けられる。２つのベッド３１、３２には、いずれも複数の編針３１１、３２１が設けられる。第２の編地層２２を編成するために用いる一方のベッド３２には、糸を引掛らせるための複数のシンカー３２２、これらシンカー３２２と合わせて糸を引掛らせるように動作する複数の牽引針３２３及び複数の切刃３２４がさらに設けられる。一実施形態として、各切刃３２４はそのうち１本の編針３２１と一体成形されてもよい。
【００１５】
これにより、図１に示されるように、本実施形態において、方法１０は、
一方のベッド３１を用いて第１の編地層２１を編成する第１の編地層の編成ステップ１１と、
他方のベッド３２を用いて地糸組織２２１及び地糸組織２２１に接続された複数のループパイル２２５を編成し、同一のベッド３２に設けられたこれらの切刃３２４を駆動してこれらのループパイル２２５を切断することにより、地糸組織２２１にそれぞれ接続されたこれらのカットパイル２２２を形成し、これらのカットパイル２２２及び地糸組織２２１が第２の編地層２２を構成する第２の編地層の編成ステップ１２と、
２つのベッド３１、３２を用いて同時に編成し、複数の接続糸２３によって第１の編地層２１と第２の編地層２２とを接続させることにより、カットパイルを有する両面布地２０を編成する織り合わせステップ１３とを含む。
【００１６】
本発明に係る方法１０の実施についてさらに説明すると、編成の初期に、第１の編地層２１を編成するよう設定された一方のベッド３１が、布地のパターン設定に基づきこれらの編針３１１を用いて第１の編地層２１を編成する。次に、第２の編地層の編成ステップ１２を行い、すなわち他方のベッド３２を用いて第２の編地層２２の編成を行う。編成が行われる間に、ベッド３２に２本の糸２２３、２２４が給糸され、そのうち一方の糸２２３からこれらの編針３２１が地糸組織２２１を編成し、他方の糸２２４はこれらの編針３２１が動作することで地糸組織２２１に接続される他に、糸の牽引−引掛りプロセスも行われる。すなわち、糸２２４はそのうち１本の牽引針３２３に牽引されて、牽引針３２３に対応して設けられた一方のシンカー３２２に引掛られ、そしてこれらのループパイル２２５のうちの１つを形成する。その後、ベッド３２がこれらの切刃３２４のうちの１つを駆動し、シンカー３２２に引掛られたループパイル２２５を切断すると、ループパイル２２５が切開されて地糸組織２２１に接続されたこれらのカットパイル２２２のうちの１つを形成する。さらに、カットパイル２２２の長さは、ループパイル２２５の成形時にそのうち１本の牽引針３２３に牽引された分の長さにより決まる。なお、本発明において、これらのループパイル２２５を形成するための一方の糸２２４はウール糸である。第２の編地層２２の編成が完了すると、織り合わせステップ１３を行う。図２に示されるように、当該ステップが行われる間、丸編機３０の２つのベッド３１、３２は、同時に駆動されながら、これらの接続糸２３がハーフステッチまたはクロスステッチの方式で織り合わせるように、第１の編地層２１と第２の編地層２２とを接続させる。
【００１７】
本発明に係る方法１０は、上記実施形態の他にも、別の実施形態でも実施できる。図４に示されるように、当該実施形態において、方法４０は、
一方のベッド３２を用いて地糸組織２２１及び地糸組織２２１に接続されたこれらのループパイル２２５を編成し、同一のベッド３２に設けられたこれらの切刃３２４を駆動してこれらのループパイル２２５を切断することにより、地糸組織２２１にそれぞれ接続されたこれらのカットパイル２２２を形成し、これらのカットパイル２２２と地糸組織２２１とが第２の編地層２２を構成する第２の編地層の編成ステップ４１と、
他方のベッド３１を用いて第１の編地層２１を編成する第１の編地層の編成ステップ４２と、
２つのベッド３１、３２を用いて同時に編成し、これらの接続糸２３によって第１の編地層２１と第２の編地層２２とを接続させることにより、カットパイルを有する両面布地２０を編成する織り合わせステップ４３とを含む。
【００１８】
本実施形態に係る方法４０と一実施形態に係る方法１０との違いは、第１の編地層２１及び第２の編地層２２の編成の順だけにあり、当業者は前掲した内容に基づき実施すれば良いため、本実施形態に関してはさらなる説明を省略する。
【００１９】
上記より分かるように、本発明に係る方法１０（または４０）により、カットパイルを有する両面布地２０は丸編機３０を用いて編成するだけで済むため、従来の製造方法ではそのプロセスが複雑であるという問題を解決できる。また、本発明の編成方法によるカットパイルを有する両面布地２０は、接着剤を用いて２枚の編地層を貼り合わせる必要がないため、接着剤の残留により人体の健康に良くない影響を与えることを防ぐことができる。
【符号の説明】
【００２０】
１０                               方法
１１                               第１の編地層の編成ステップ
１２                               第２の編地層の編成ステップ
１３                               織り合わせステップ
２０                               カットパイルを有する両面布地
２１                               第１の編地層
２２                               第２の編地層
２２１                             地糸組織
２２２                             カットパイル
２２３                             糸
２２４                             糸
２２５                             ループパイル
２３                               接続糸
３０                               丸編機
３１                               ベッド
３１１                             編針
３２                               ベッド
３２１                             編針
３２２                             シンカー
３２３                             牽引針
３２４                             切刃
４０                               方法
４１                               第２の編地層の編成ステップ
４２                               第１の編地層の編成ステップ
４３                               織り合わせステップ
【図１】
2020169413.tif 000003
【図２】
2020169413.tif 000004
【図３】
2020169413.tif 000005
【図４】
2020169413.tif 000006
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
カットパイルを有し、第１の編地層と前記第１の編地層に接続された第２の編地層とからなる両面布地であって、前記第２の編地層における前記第１の編地層から離れた側に複数の前記カットパイルが成形される両面布地を、対応して設けられた２つのベッドを有する丸編機を用いて編成する方法において、
一方の前記ベッドを用いて前記第１の編地層を編成する第１の編地層の編成ステップと、
他方の前記ベッドを用いて、他方の前記ベッドにおける複数の編針により糸を地糸組織に編成し、前記複数の編針により他方の糸を地糸組織に接続すると共に、他方の前記ベッドの牽引針により前記他方の糸を牽引してこの前記他方の糸を前記牽引針のシンカーに引掛させることにより前記他方の糸を前記地糸組織に接続された複数のループパイルに編成し、同一の前記ベッドに設けられ、複数の編針に一体形成された複数の切刃を駆動してこれらのループパイルを切断することにより、前記地糸組織にそれぞれ接続された複数のカットパイルを形成し、これらのカットパイル及び前記地糸組織が前記第２の編地層を構成する第２の編地層の編成ステップと、
前記２つのベッドを用いて同時に編成し、複数の接続糸によって前記第１の編地層と前記第２の編地層とを接続させることにより、前記カットパイルを有する両面布地を編成する織り合わせステップとを含むことを特徴とする丸編機を用いてカットパイルを有する両面布地を編成する方法。
【請求項２】
前記第２の編地層の編成ステップでは、編成を行っている一方の前記ベッドに２本の糸を給糸し、前記２本の糸のうちの一方は前記地糸組織を編成し、他方は前記地糸組織に接続されて糸の牽引−引掛りプロセスを行うことで前記複数のループパイルのうちの１つを形成することを特徴とする請求項１に記載の丸編機を用いてカットパイルを有する両面布地を編成する方法。
【請求項３】
前記複数のループパイルのうちの１つを形成する糸は、ウール糸であることを特徴とする請求項１または２に記載の丸編機を用いてカットパイルを有する両面布地を編成する方法。
【請求項４】
カットパイルを有し、第１の編地層と前記第１の編地層に接続された第２の編地層とからなる両面布地であって、前記第２の編地層における前記第１の編地層から離れた側に複数の前記カットパイルが成形される両面布地を、対応して設けられた２つのベッドを有する丸編機を用いて編成する方法において、
一方の前記ベッドを用いて、前記ベッドにおける複数の編針により糸を地糸組織に編成し、前記複数の編針により他方の糸を地糸組織に接続すると共に、前記ベッドの牽引針により前記他方の糸を牽引してこの前記他方の糸を前記牽引針のシンカーに引掛させることにより前記他方の糸を前記地糸組織に接続された複数のループパイルに編成し、同一の前記ベッドに設けられ、複数の編針に一体形成された複数の切刃を駆動してこれらのループパイルを切断することにより、前記地糸組織にそれぞれ接続された複数のカットパイルを形成し、これらのカットパイル及び前記地糸組織が前記第２の編地層を構成する第２の編地層の編成ステップと、
他方の前記ベッドを用いて前記第１の編地層を編成する第１の編地層の編成ステップと、
前記２つのベッドを用いて同時に編成し、複数の接続糸によって前記第１の編地層と前記第２の編地層とを接続させることにより、前記カットパイルを有する両面布地を編成する織り合わせステップとを含むことを特徴とする丸編機を用いてカットパイルを有する両面布地を編成する方法。
【請求項５】
前記第２の編地層の編成ステップでは、編成を行っている一方の前記ベッドに２本の糸を給糸し、前記２本の糸のうちの一方は前記地糸組織を編成し、他方は前記地糸組織に接続されて糸の牽引−引掛りプロセスを行うことで前記複数のループパイルのうちの１つを形成することを特徴とする請求項４に記載の丸編機を用いてカットパイルを有する両面布地を編成する方法。
【請求項６】
前記複数のループパイルのうちの１つを形成する糸は、ウール糸であることを特徴とする請求項４または５に記載の丸編機を用いてカットパイルを有する両面布地を編成する方法。